(57)【要約】【課題】落ち運びが楽で、シャッターチャンスに即時対応できるカメラの持ち運び用の器具を提供する。【解決手段】  １本のベルト１を撮影者の胸に回してその両端部にあるフック２A,２Bを胸のほぼ中央の位置にある接続部３のリングに係止する。これにより１本のベルト１は撮影者の背中で袈裟懸けされ撮影者の前胸部で一点に収斂され、撮影者の体に固定される。カメラCは接続具３を介してベルト１に接続される。カメラは望遠レンズ等の大型のレンズを付けた場合、撮影者の移動時は図示のようにレンズを下向きにして安定し、かつ両手は解放される。撮影時は図示のままの状態でカメラCを持って、レンズを対象に向ける。このため、持ち運び時から瞬時に撮影態勢に入れると共に、撮影時カメラCの重量の一部をベルト１が支持するため、大きな力を必要とせずかつベルト１を介してカメラCを体で支えるためカメラCが安定し、ブレ等の失敗がない。【選択図】  図５
2015135450.tif 000002
【特許請求の範囲】
【請求項１】
本体部が一本のベルトにより構成され、当該ベルトの中間部分にはカメラ等の持ち運び対象を着脱可能に係止する接続部が１以上設けられ、接続部にはリング等の係止体が設けられ、ベルトの両端にはこの係止体と係合するフックなどの係合体が設けられ、接続部を有するベルト本体中央部が撮影者の前胸部に位置し、各ベルト端部は撮影者の背後において交差した後、端部の各係合体が前記係止体と係合するよう構成したことを特徴とするカメラの持ち運び・撮影補助具。
【請求項２】
前記接続部はベルトに沿って摺動可能に構成されたことを特徴とする請求項１記載のカメラの持ち運び・撮影補助具。
【請求項３】
ベルトには長さ調節手段が設けられていることを特徴とする請求項１又は２記載のカメラの持ち運び・撮影補助具。
【請求項４】
本体部が複数本のベルトにより構成され、撮影者の胸部に水平方向に巻き回す水平ベルトと、この水平ベルトに対して背後で接続する２本の肩掛けベルトから成り、水平ベルトにはメラ等の持ち運び対象を着脱可能に係止する接続部が１以上設けられ、接続部にはリング等の係止体が設けられ、前記各ベルトの両端にはこの係止体と係合するフックなどの係合体が設けられていることを特徴とするメラの持ち運び・撮影補助具。
【請求項５】
２本の肩掛けベルトは、撮影者の背後で平行に位置し、かつ両肩を経て平行状態のままで各肩掛けベルトの係合体が水平ベルトの係止体とそれぞれ係合するよう構成されたことを特徴とする請求項４記載のカメラの持ち運び・撮影補助具。
【請求項６】
２本の肩掛けベルトは、撮影者の背後で交差し、かつ両肩を経て平行し、各肩掛けベルトの係合体が水平ベルトの係止体とそれぞれ係合するよう構成されたことを特徴とする請求項４記載のカメラの持ち運び・撮影補助具。
【発明の詳細な説明】
【技術分野】
【０００１】
本発明は静止画撮影用の所謂カメラおよび動画撮影用のビデオカメラの持ち運び及び撮影時にこれら静止画用カメラ及び動画用カメラ（以下特に断らない場合「カメラ」の語は
この両者を含むものとする）の持ち運びとこのカメラを用いた撮影時の補助を行う器具に関する。
【背景技術】
【０００２】
昨今のデジタル化の進歩に伴いカメラ本体は撮影データの大容量化、高性能化にも関わらず小型化していることは我々のよく知るところである。一方、カメラを構成するもう一つの柱であるレンズを中心にした光学系機材は前記デジタル化の恩恵を直接受けることはない。このため、カメラ本体の高性能化に対応した望遠、広角、ズーム機能、光学系手振れ補正機構などにより光学系機材も高性能化し、この高性能化はレンズの大口径、長尺、大重量化となることはある程度避けられないといえる。つまり光学系分野に対して高い性能を要求されない一般使用のカメラはデジタル化によって小型、軽量化が達成されてはいるが、高性能のカメラにあっては、前記光学系機材の大型化、大重量化などによってカメラ全体の持ち運び、及び撮影時の撮影者の負担はかえって増加しているといえる。
このような観点から以下の特許文献記載の発明、考案が提示されその解決が図られようとしている。
【先行技術文献】
【特許文献】
【０００３】
【特許文献１】特開２０１１−１０７２８０
【特許文献２】特開平１−１０９５０３
【特許文献３】実用新案登録第３１５８７９７号
【特許文献４】特開２００４−１０２２０７
【発明の概要】
【発明が解決しようとする課題】
【０００４】
上記特許文献１記載の発明は肩掛け式のフレームにより撮影時にカメラを保持する腕（例えば撮影者の右腕）を支持し、撮影時の腕の負担を軽減しようとするものである。この技術は撮影時の負担軽減に主眼が置かれており、カメラの持ち運び時の利便性については考慮されていない。
【０００５】
特許文献２に記載の発明は前記特許文献１の発明とほぼ同趣旨の技術であって、その利点、欠点もほぼ同様である。
特許文献３の考案はカメラに接続した一脚を片方の肩に掛けたベルトにより支持する構成であって、両手でカメラを持つことができるため望遠レンズなどの大型のレンズを装着したカメラを操作する上では上記二つの特許文献に比較して有利であるといえる。しかしこれら二つの特許文献記載の技術と同様、カメラの荷重を片方の肩だけで支持する構成となっているため、撮影者に対してアンバランスな荷重が掛かるという点では同じ問題がある。
【０００６】
引用文献４記載の発明はカメラの荷重を両肩で支持でき、かつ両手でカメラを操作できるよう構成されている点で前記３つの技術に比較してより有効であるといえる。
【０００７】
上記４件の特許文献記載の技術は、カメラの操作性、撮影者の負担軽減等の所期の目的は達成されているといえるが、反面、撮影時外のカメラの持ち運びに関しては殆ど考慮されていない。つまり持ち運びの途中に撮影する際にはこれらの器具を装着して撮影を開始する必要がある。従って、カメラを持ち運んでいる際に、シャッターチャンスがあった場合にあっては持ち運び状態からレンズを瞬時に被写体に向けて撮影動作に移ることはほぼ絶望的に不可能である。
【０００８】
なお、上記先行技術文献以外にも、両肩に掛ける肩掛け部とこの肩掛け部の胸元の位置に接続部を有し、接続部を介して肩掛け部にカメラ接続具を設け、両肩からカメラをそれぞれ吊り下げるように構成したものが提供されている。この器具は複数のカメラを持ち運ぶことが可能であるが、機能的には従来の肩掛け式（一方の肩に掛ける形式）のストラップをもう一つ追加した構成のものであるため、カメラ持ち運び時のカメラの揺れは解消されず、さらに二つのカメラ吊り下げ位置は肩掛け部の位置に固定されるために、移動中にカメラ同士がぶつかる虞がある。また前記先行技術と同様、移動中にシャッターチャンスに即応してカメラの操作をすることはできない。
【課題を解決するための手段】
【０００９】
本発明は上記従来技術の問題点を解消したものであって、カメラを安全かつ楽に持ち運びすることと、持ち運び時においても瞬時にカメラ操作が可能であって、かつ撮影動作時の撮影者の補助とを同時に果たす器具であることを特徴とし、カメラの持ち運びと撮影動作の補助を一つの器具で実現することを目的とした器具である。
【００１０】
より具体的には、本発明の第１の構成は１本のベルトから成る本体部と、本体部たるベルト両端に形成された掛止手段と、ベルトに取り付けられた１以上のカメラ吊り下げ部とが形成され、カメラ吊り下げ部には前記掛止手段と係合する係合部と、カメラを接続させる接続具が設けられていることを特徴とするものである。
【００１１】
この構成において、例えば撮影者の前胸部においてベルトを水平に位置させ、このベルトを背中で交差させるようにしてベルトを襷（たすき）掛けし、ベルトに取り付けた一つのカメラ吊り下げ部の係合部に対して背後から前胸部に回したベルト両端の掛止手段をそれぞれ係合させ、このカメラ吊り下げ部に対してカメラを接続具を介して接続させるよう構成したカメラ持ち運び・撮影補助具である。
【００１２】
本発明の第２の構成は、ベルトのうち撮影者の胸周りに巻き回す水平ベルトとこの水平ベルトに一端が接続し、他端は撮影者の肩部を経て水平ベルトに設けた接続部と接続するよう構成した肩掛けベルトから構成され、前記襷掛け状態のベルトの装着をより容易にできるよう構成したカメラ持ち運び・撮影補助具である。
【発明の効果】
【００１３】
本発明は上記の構成となっているため、大型の望遠レンズを装着したカメラでも撮影者の前胸部の中心において、カメラ底部を上に向けた状態で、つまりレンズを下に向けた状態で安定して吊り下げ支持され、かつカメラの荷重は両肩及び背部に均等に分散されるので大型の光学系機材を装着したカメラであっても持ち移動時に体が安定し、カメラの持ち運びが楽でかつ安全である。
【００１４】
また、カメラを持ち運んで移動する時にシャッターチャンスがあれば、吊り下げていたカメラをレンズ及びカメラ本体を持って、直ちにレンズを被写体に向けて撮影することが可能である。つまり持ち運び状態から瞬時に撮影状態に入ることができる。
【００１５】
また、撮影時にもカメラ底部が胸ベルト側に接続しているので両手でレンズとカメラ本体を支持した際にカメラ底部が補助具に接続しているので、カメラとレンズは補助具と両手の３箇所で支持される。このため両腕の負担は大幅に低減され、被写体にレンズを向けたままの長時間の撮影も可能となり、しかもカメラ全体の保持を安定させることができるためいわゆるブレ等に起因する撮影の失敗も少なくなる。
【図面の簡単な説明】
【００１６】
【図１】本発明に係る第１の実施例を示し、補助具全体を展開した状態を示す図である
【図２】図１に示す補助具を撮影者に対して装着する手順を示す図である。
【図３】補助具を装着した撮影者の背後を示す図である。
【図４】補助具を装着した撮影者の前部を示す図である。
【図５】補助具に対してカメラを取り付けて移動する状態の撮影者前部の状態を示す図である。
【図６】図５のカメラ取り付け状態での撮影状態を示す撮影者側部を示す図である。
【図７】実施例２の補助具装着状態を示す補助具の平面図である。
【図８】第３の実施例を示す補助具を装着した撮影者の正面図である。
【図９】前記第３の実施例の変形例を示す補助具を装着した撮影者の正面図である。
【発明を実施するための形態】
【００１７】
以下、本発明の実施の形態を図に基づいて具体的に説明する。
【実施例１】
【００１８】
図１は本発明に係るカメラの持ち運び・撮影補助具（以下単に「補助具」と称する）の展開状態を示す。同図を用いて各部の構成を説明する。
図中符号１は本発明に係る補助具の本体を成すベルトである。符号１Ａはベルト１の一端近傍に形成されたベルト１全体の長さを調節する長さ調節手段である。この長さ調節手段１Ａはその形式を問わないが、例えばバックル式のものであって、バックルを摺動させることによりベルト１全体の長さ調節が可能な一般的な形式のもので十分である。符号１Ａａは長さ調節手段１Ａを構成する長さ調節用のバックルである。
【００１９】
同様に符号１Ｂは前記ベルト１の他端近傍に設けた長さ調節手段であって、前記長さ調節手段１Ａと同様の構造に構成されている。すなわち符号１Ｂａはこの長さ調節手段の１Ｂに設けられたバックルである。
【００２０】
符号２Ａは本体たるベルト１の一端に設けられた掛止手段であって、図示の構成はフックとして形成されている。同様にベルト１の他端には掛止手段として別のフック２Ｂが設けられている。以下掛止手段２Ａ、２Ｂはフックとして説明する。
【００２１】
符号３及び４はベルト１に取り付けたカメラ接続部である（以下単に「接続部」と称する）。これら接続部３、４はベルト１に沿って摺動可能に構成されている。
次にこの接続部の構成を主として接続部３を例に説明する。
【００２２】
符号３Ａａは接続部本体であって、ベルト１が挿通している環状部により本体部３Ａａは当該ベルト１に接続し、かつこのベルト１に沿って摺動可能になっている。３Ａｂは接続部本体３Ａａの環状部に設けられたフック係合部であって、図示の構成はリングとして構成されている（以下「リング」で説明する）。符号３Ａｃはカメラ接続体（以下単に「接続体」とする）であって。カメラ側に取り付けられた別の接続体（図示せず）と対を成しており、接続体同士を係合固定することによりカメラをこの接続部３に取り付けられよう構成されている。
前記接続体３Ａｃを含めた接続体全体は本補助具に対応させて新たに設計製作してもよいが、従来品を利用することで十分対応可能である。例えばカメラ側と三脚側にそれぞれ取り付け、三脚に対してカメラをワンタッチで着脱できるように構成された一対の接続体の市販品を利用することも可能である。具体的には、この一対の接続体の一方である三脚取り付け側の部品を前記接続部３に取り付けて接続体３Ａｃとし、他方の接続体（図示せず）をカメラにあらかじめ形成されている三脚接続用のねじ穴に螺合固定させて両接続体を着脱可能に接続するように構成してもよい。
【００２３】
別の接続部４も同様の構成である。すなわち、ベルト１に対して摺動可能な本体部４Ａａに対してリング４Ａｂが設けられ、さらに接続体４Ａｃが取り付けられた構成となっている。
【００２４】
次に、上述した器具を撮影者に装着する手順を説明する。
上記した、二つの接続部３、４を有する構成では、その目的に応じて装着の仕方が少なくとも二通りある。
【００２５】
図２は第一の装着方法を示す。この方法は撮影者の体の中心部においてカメラを装着することを目的としている。
先ずベルト１の接続具３を撮影者の前胸部に位置させ、フック２Ｂがあるベルト１の端部を胸の左側から背後に回して右肩に掛けた後、前記フック２Ｂをリング３Ａｂに係止する（図２参照）。続いてベルト１の他端のフック２Ａを右胸の背後に回し、背中を斜めに横切って左肩を経て前胸部に至り、このフック２Ａを前記リング３Ａｂに係止する。この作業によりベルト１は撮影者の背後においては交差するよう袈裟懸けに位置し（図３参照）、当該ベルト１の両端部は撮影者の前胸部において接続部３のリングに収斂するよう固定され、ベルト１が撮影者に対してしっかりと装着される。この状態においてカメラ側に取り付けた接続体を接続部３の接続体３Ａｃに係合させることによりカメラの装着を可能にする（図４参照）。
【００２６】
図５は前記図４の構成の補助具に対して比較的大型のズームレンズを取り付けたカメラを装着した状態を示す。図示のとおり、カメラの下側で接続部３に取り付けられたカメラは重心位置に逆らわずレンズが下向きに位置した状態でこの接続体３から自然に釣り下がった状態で安定する。この自然な状態により、従来の片掛けベルトのように撮影者の左右いずれかの肩にカメラの荷重が集中的に加わって移動時に撮影者に対して無理な負担がかかることはない。本構成では、カメラの荷重が左右両肩に分散されて、撮影者に対する身体的な負担が大幅に減少する。また図からも明らかなように、カメラを装着しても、両手は完全に解放されているので、シャッターチャンスがあっても両手でカメラ及びレンズを持って瞬時に対応、撮影が可能である。因みに、従来の片掛け式では、移動時にカメラが安定しないので片手でレンズ部分を持って揺れないようにするなど、少なくとも片方の手は移動時にカメラを保持するので疲れると共に、瞬時のシャッターチャンスに対応することができない。
【００２７】
次に、撮影時には、図６のようにカメラをベルト１に装着した状態で撮影が可能である。このことは、前記したシャッターチャンスに瞬時に対応可能という他に、カメラの操作上極めて有効な構成である。
すなわち、図５において示したように、接続体３に接続したままの状態のカメラで撮影できるので、撮影時にカメラ本体の下側に位置する接続部３を介してレンズ部分を含めたカメラ全体をベルト１を介して撮影者の体全体でバランスよく支持するので、撮影者が無理な姿勢をとることなく安定して撮影することができる。特に長尺の望遠レンズを使用する場合には、カメラの荷重の大半を体全体で支持できるので体の負担が少なく、かつブレなどの撮影失敗を防ぐことができる。
【実施例２】
【００２８】
この実施例は、前記した各図に示される構成を前提として別の使用状態を中心にしたものを示す。
前記実施例１が接続体３を前胸部の中心に位置させ、この状態での使用状態を示しているが、この実施例では接続体３以外に、接続体４をより効果的に使用する場合を示す。ただし、後述するように前記実施例１でも接続体４の使用は可能である。
この接続体４を使用する場合のベルト装着方法を、取り付け最初から説明してもよいが、前記実施例１に示された取り付け状態を変更する場合を例に説明する。
【００２９】
図４に示されるように実施例１ではベルト１の両端のフック２Ａ、２Ｂは何れも接続体３のリング３Ａｂに係止され、ベルト１の両端は接続部３に収斂していたが、例えばこの状態のフック２Ｂをリング３Ａｂから外し、撮影者から見て右隣の接続部４のリング４Ａｂに係止する。
【００３０】
図７はこの状態を示している。つまりリング３Ａｂに対するフック２Ａの係止状態はそのままにして接続体３を胸に水平に位置するベルト部分に沿って撮影者の左胸側にややずらし、接続部４を右胸のほぼ対称な位置に移動させ、この位置に移動した接続部４のリング４ａｂに対してベルト１の他端のフック２Ｂを係止する。例えば接続部３に望遠レンズを装着したカメラを取り付け、接続部４には広角レンズを装着したカメラや交換レンズの入ったレンズケースを取り付ける等、接続部３，４に所望のものを取り付ける。この実施例の場合も等間隔に配置された各接続部３、４にカメラやレンズケース等の対象物がそれぞれ装着されているので、対象物の荷重がバランスよく撮影者の体に配分されること、及び両手が自由である利点は変わらない。
【実施例３】
【００３１】
上記の各実施例は何れも一本のベルトで装着具を構成していたが、図８は第３の実施例を示す。
符号５は、前記各実施例における、一本のベルト１の胸周りに位置する水平部に対応する水平ベルトである。６Ａは撮影者の背部でこの水平ベルト５に一端が接続する肩掛けベルトである。６Ｂも同様の構成の肩掛けベルトであって、両肩掛けベルト６Ａ、６Ｂは図示の構成では、背中部で平行に立ち上がり左右の肩を経て前胸部で交差しそれぞれ接続部３、４にその端部が接続している。
【００３２】
具体的には、水平ベルト５はズボン用のベルトのように例えばバックルで絞めて胸周りに装着し、続いて背後にある肩掛けベルト６Ａ，６Ｂをそれぞれ肩に掛け、これら肩掛けベルト６Ａ，６Ｂの端部を水平ベルト５のうちに取り付けられた各接続部３，４に接続する。なお、接続方法は前記実施例と同様、各肩掛けベルト端部に形成されたフックを接続部側のリングに係止する等の方法で実施可能である。
【００３３】
図９は、図８の構成の変形例である。この構成は撮影者の背後で水平ベルト５にそれぞれの端部が接続している各肩掛けベルト６Ａ，６Ｂは背後で交差し、左右の肩を経た後前胸部で平行に下降して水平ベルト５に位置する各接続部３、４に位置する。その他装着方法等は図８の構成と同様な形で実施可能である。
【産業上の利用可能性】
【００３４】
以上本発明を、カメラの持ち運びや撮影時のカメラの保持具として説明したが、荷重が撮影者たる人に対してバランスよく負荷される構成のため、重量のあるものを持ち上げるための補助具としての利用も可能である。例えば、寝台に横になっている患者の胸部にベルトを回し、このベルトを介護者に対して図３の構成の補助具を装着した状態で接続部３に対して接続するよう構成すれば、介護者は患者の荷重を腰以外に両肩でバランスよく受け止め、介護者は自分の腰に対する負荷が少ない状態で患者を起き上がらせることができる。また患者は介護者の首等に必死でつかまらなくとも介護者の動作に委ねて楽に起きられるようになる。
【符号の説明】
【００３５】
１  ベルト（補助具本体）
１Ａ 長さ調節手段
１Ａａ  バックル 
１Ｂ 長さ調節手段
１Ｂａ  バックル
２Ａ 係止手段（フック）
２Ｂ 係止手段（フック）
３  接続部
３Ａａ  接続部本体
３Ａｂ  リング(フック係合部)
３Ａｃ  カメラ接続体
４Ａａ  接続部本体
４Ａｂ  リング（フック係合部）
４Ａｃ  カメラ接続体
５  水平ベルト
６Ａ  肩掛けベルト
６Ｂ  肩掛けベルト
【図１】
2015135450.tif 000003
【図２】
2015135450.tif 000004
【図３】
2015135450.tif 000005
【図４】
2015135450.tif 000006
【図５】
2015135450.tif 000007
【図６】
2015135450.tif 000008
【図７】
2015135450.tif 000009
【図８】
2015135450.tif 000010
【図９】
2015135450.tif 000011